(57)【要約】   【課題】  カメラに対して後付けするタイプの、カメラで撮る画像に所定の効果を与えるアタッチメントを、カメラのシャッターボタンの操作に支障がでないように改良する。  【解決手段】アタッチメント１は、カメラ付き携帯電話４０に固定可能なベース１０を備えている。ベース１０には、カメラネジナットと、レリーズ固定部材１４が設けられている。カメラ付き携帯電話４０に固定されたアタッチメント１は、カメラネジナットを介して三脚６０に固定できる。使用者は、アタッチメント１から露出したカメラ付き携帯電話４０のシャッターボタンをそのまま操作することもできるし、レリーズ固定部材１４に接続したレリーズ７０を介して操作することもできる。【選択図】  図７
2006227309.tif 000002
【特許請求の範囲】
【請求項１】
像光を通過させるレンズと、撮像を行うスイッチであるシャッターボタンとを備えたカメラに取付けて用いるものであり、そのカメラで撮像される画像に何らかの効果を付与するための効果付与素子をカメラに取付けるためのアタッチメントであって、
本体と、
前記カメラに対して着脱自在な固定を行うものとされ、前記本体に設けられた固定手段と、
所定のレリーズの基端を取付けられるようにされており、前記本体が前記カメラに取付けられたときに前記シャッターボタンに近接するようにして前記本体に設けられたレリーズ保持手段と、
前記本体が前記カメラに取付けられたときに前記レンズの前方に位置するようにして前記本体に設けられており、前記カメラで撮像される画像に何らかの効果を付与する効果付与素子と、
を備えて構成される、アタッチメント。
【請求項２】
前記レリーズ保持手段は、レリーズの基端がそれに取付けられていないときには、使用者が手で操作できるような状態で前記シャッターボタンを露出させるように構成されている、
請求項１記載のアタッチメント。
【請求項３】
前記レリーズ保持手段は、前記本体に対して着脱自在に構成されており、それを前記本体から取外すことで、使用者が手で操作できるような状態で前記シャッターボタンを露出させられるようになっている、
請求項１又は２記載のアタッチメント。
【請求項４】
前記効果付与素子は、前記本体に対して着脱自在に構成されている、
請求項１〜３のいずれかに記載のアタッチメント。
【請求項５】
前記本体には、カメラネジナットが設けられている、
請求項１〜４のいずれかに記載のアタッチメント。
【請求項６】
像光を通過させるレンズと、撮像を行うスイッチであるシャッターボタンとを備えたカメラに取付けて用いるものであり、そのカメラで撮像される画像に何らかの効果を付与するための効果付与素子をカメラに取付けるためのアタッチメントであって、
本体と、
前記カメラに対して着脱自在な固定を行うものとされ、前記本体に設けられた固定手段と、
所定のレリーズの基端を取付けられるようにされており、前記本体が前記カメラに取付けられたときに前記シャッターボタンに近接するようにして前記本体に設けられたレリーズ保持手段と、
前記本体が前記カメラに取付けられたときに前記レンズの前方に位置するようにして前記本体に設けられており、前記カメラで撮像される画像に何らかの効果を付与する所定の効果付与素子を着脱自在に取付けられるようにされた効果付与素子固定手段と、
を備えて構成される、アタッチメント。
【発明の詳細な説明】
【技術分野】
【０００１】
本発明は、カメラに取付けて用いられるアタッチメントに関する。
【背景技術】
【０００２】
近年の携帯電話の普及には目を見張るものがある。その要因の一つとなっているのが、カメラ付き携帯電話の流行である。
【０００３】
カメラ付き携帯電話は、文字通りカメラを備えた携帯電話である。かかるカメラ付き携帯電話のカメラは、一般的な携帯電話のケースに、通常であればＣＣＤ（charge coupled device）によって形成される撮像手段を内蔵させるとともに、上記ケースの所定の位置にケースから露出するような状態で上記撮像手段に像光を導くカメラレンズを設けた構成とされている。
カメラ付き携帯電話は、このような構成によって、写真撮影を行えるようになっている。
【０００４】
カメラ付き携帯電話は、持ち歩かれる場合の多い携帯電話による手軽な写真の撮影を可能とする、という機能を備えている。カメラ付き携帯電話は、また、カメラ付き携帯電話で撮像した写真を、携帯電話が備えている電子メール機能によって実現される電子メールに添付して他者の携帯電話等に他の機器の力を借りずにそのまま送信できる、という一般のカメラにはない機能を備えている場合が多い。これらの特徴的な機能は、一般的なカメラが持たない新たな楽しさを提供するものである。
このような特徴的な機能を持つことで、カメラ付き携帯電話は、ユーザの遊び心を刺激することに成功し、写真を撮る機会の多い、特に若年層に広く普及するに至っている。
【０００５】
このような現状を見れば、カメラ付き携帯電話の更なる普及を図ろうとするには、ユーザの遊び心を更に刺激する何かがあればいいということを理解できる。
このような点を考慮し、カメラ付き携帯電話に、ユーザの遊び心を更に刺激する機能を与えるための研究が行われている。
例えば、カメラ付き携帯電話で撮像できる画像は、以前は静止画だけだったが、現在では動画やコマ送りの画像も撮像できるようになってきている。また、カメラ付き携帯電話に内蔵したメモリに所定の画像を記憶させておき、これとカメラ付き携帯電話で撮像した画像を合成するという機能が、最近のカメラ付き携帯電話には与えられている。
【０００６】
ユーザの遊び心を刺激するための一つの方策に、カメラ付き携帯電話で撮像できる画像を変化させるというものがある。このような観点から、本願出願人は、あるアタッチメントを開発した。
このアタッチメントは、カメラ付き携帯電話に内蔵のカメラで撮った写真に新しい効果を与えることのできる光学要素を備えているとともに、カメラ付き携帯電話に着脱自在に取付けて用いることのできるものとなっている。
かかるアタッチメントが備える光学要素は、カメラで撮像することによって得られる画像に対して何らかの効果を与えるものであり、拡大レンズ、近接撮影用レンズ、魚眼レンズ、偏光フィルタ、回折格子、セピア色などの色味を写真に与える有色フィルタなどである。したがって、かかる光学要素をカメラ付き携帯電話に取付けることにより、カメラ付き携帯電話に内蔵のカメラで撮影される画像に何らかの効果を与えられるようになるから、ユーザの遊び心を刺激するに好適である。
しかしながら、かかるアタッチメントは、有用であるものの、カメラ付き携帯電話にそれを取付けたときのカメラのシャッターボタンの操作に支障を与えることも考えられる。
【発明の開示】
【発明が解決しようとする課題】
【０００７】
本願発明は、カメラ付き携帯電話をはじめとするカメラで撮像される画像に何らかの効果を与えることのできる効果付与素子を取付けるためのアタッチメントを、シャッターボタンの操作に支障のないようなものに改良することをその課題とする。
【課題を解決するための手段】
【０００８】
かかる課題を解決するための本願発明は、像光を通過させるレンズと、撮像を行うスイッチであるシャッターボタンとを備えたカメラに取付けて用いるものであり、そのカメラで撮像される画像に何らかの効果を付与するための効果付与素子をカメラに取付けるためのアタッチメントである。
そして、このアタッチメントは、本体と、前記カメラに対して着脱自在な固定を行うものとされ、前記本体に設けられた固定手段と、所定のレリーズの基端を取付けられるようにされており、前記本体が前記カメラに取付けられたときに前記シャッターボタンに近接するようにして前記本体に設けられたレリーズ保持手段と、前記本体が前記カメラに取付けられたときに前記レンズの前方に位置するようにして前記本体に設けられており、前記カメラで撮像される画像に何らかの効果を付与する効果付与素子と、を備えて構成される。
かかるアタッチメントは、それをカメラに取付けることで、カメラのレンズの前方に効果付与素子を位置させられるものであるから、これを用いることによりカメラで撮像する画像に何らかの効果を与えられるようになる。
また、このアタッチメントは、レリーズ保持手段を備えており、レリーズを取付けられるようになっているから、シャッターボタンの操作性に支障がでることもない。
なお、本発明における「カメラ」は、デジタルカメラなどのカメラ単体であってもよいし、カメラ付き携帯電話（この明細書では、携帯電話には「ＰＨＳ」も含まれる。）やカメラ付きＰＤＡなどのカメラを有する多機能品であってもよい。
【０００９】
前記レリーズ保持手段は、レリーズの基端を保持できるように構成されていれば、その具体的な構成は不問である。アタッチメント専用のレリーズの基端しか保持できないようになっていても構わないが、市販のレリーズの基端を保持できるようなものとされていれば便利である。
レリーズ保持手段は、例えば、レリーズの基端がそれに取付けられていないときには、使用者が手で操作できるような状態で前記シャッターボタンを露出させるように構成されていてもよい。このようになっていれば、レリーズ保持手段にレリーズが取付けられていない場合であっても、シャッターボタンの操作に支障が生じない。
前記レリーズ保持手段は、前記本体に対して着脱自在に構成されており、それを前記本体から取外すことで、使用者が手で操作できるような状態で前記シャッターボタンを露出させられるようになっていても構わない。
【００１０】
効果付与素子は、カメラで撮像することによって得られる画像に対して何らかの効果を与えるものであればどのようなものでも構わない。例えば、拡大レンズ、近接撮影用レンズ、魚眼レンズ、偏光フィルタ、回折格子、セピア色などの色味を写真に与える有色フィルタなどをこれに用いることができる。
前記効果付与素子は、前記本体に対して着脱自在に構成されていてもよい。このようにすることで、効果付与素子を交換することができるようになるので、様々な効果をカメラで撮像する画像に与えられるようになる。
【００１１】
本体には、カメラネジナットが設けられていてもよい。
このアタッチメントを用いれば、三脚やそれ以外の製品が備えるカメラネジボルトにカメラを固定できることになるので、安定した状態で撮像を行えるようになる。また、三脚やそれ以外の製品と、例えばカメラ付き携帯電話であるカメラを接続することで、便利さを享受できる可能性がある。また、このアタッチメントは、カメラネジボルトを備えることが通常である一般的な三脚との固定を可能とするものなので、既存の三脚にカメラを固定させられるようになる、という点で便利である。特に、カメラがカメラ付き携帯電話などの多機能品である場合には、カメラ自体にカメラネジナットが付いていないことが通常であるので、レリーズを使用する際に使用されることの多い三脚にカメラを固定できるようになるという点で利益が多い。
なお、本願明細書において「カメラネジボルト」の語は、一般的にカメラネジと呼ばれているボルト、ナットのうちのボルトを意味し、また、「カメラネジナット」の語は、一般的にカメラネジと呼ばれているボルト、ナットのうちのナットを意味するものとする。カメラネジは、一般的には、１３インチネジである。
【００１２】
本願発明によるアタッチメントは、像光を通過させるレンズと、撮像を行うスイッチであるシャッターボタンとを備えたカメラに取付けて用いるものであり、そのカメラで撮像される画像に何らかの効果を付与するための効果付与素子をカメラに取付けるためのアタッチメントであって、本体と、前記カメラに対して着脱自在な固定を行うものとされ、前記本体に設けられた固定手段と、所定のレリーズの基端を取付けられるようにされており、前記本体が前記カメラに取付けられたときに前記シャッターボタンに近接するようにして前記本体に設けられたレリーズ保持手段と、前記本体が前記カメラに取付けられたときに前記レンズの前方に位置するようにして前記本体に設けられており、前記カメラで撮像される画像に何らかの効果を付与する所定の効果付与素子を着脱自在に取付けられるようにされた効果付与素子固定手段と、を備えて構成される、アタッチメントであってもよい。
【発明を実施するための最良の形態】
【００１３】
以下、図面を参照して、本発明の好ましい一実施形態を説明する。
本実施形態におけるアタッチメントは、以下のカメラ付き携帯電話用アタッチメント（以下、「カメラ付き携帯電話用アタッチメント」を、単に「アタッチメント」という場合がある。）１の一部をなす。アタッチメント１は、カメラに対して取付けた状態で用いるものであるが、この実施形態におけるアタッチメント１が取付けられるカメラは、カメラ付き携帯電話４０（図１（Ａ）〜（Ｄ）参照）となっている。
【００１４】
カメラ付き携帯電話用アタッチメント１は、本願発明におけるカメラに相当するカメラ付き携帯電話４０に取付けて用いられる。
【００１５】
この実施形態におけるカメラ付き携帯電話４０は、図１（Ａ）に示したように、ケースを備えている。ケースは、カメラの設けられた部分４０Ａと、設けられていない部分４０Ｂとに分けられており、両者をユニバーサルジョイントにより接続してなる。このケースは、ユニバーサルジョイントの部分で二つ折りにできるようにされ、必要に応じて開閉できるようになっている。また、このケースは、ユニバーサルジョイントを軸として２つの部分の一方を他方に対して捻ることができるようにされている。
このカメラ付き携帯電話４０は、この実施形態では、マイクロフォンとスピーカとそれらを制御する回路によって実現されるごく一般的な電話機能に加えて、電子メールを送受信するためのメール機能を少なくとも備えている。これらの機能を実現するため、このカメラ付き携帯電話４０は、ディスプレイ４１及び図示しないアンテナを備えている。カメラ付き携帯電話４０は、また、ＣＰＵ、ＲＯＭ、ＲＡＭ、インタフェイスなどのハードウエアを内蔵しているが、これらはこの種のカメラ付き携帯電話４０に限らず、携帯電話に一般的なものなので、その説明を省略する。
なお、ディスプレイ４１は、カメラ付き携帯電話４０を構成する他方のケース４０Ｂの前面側（カメラ付き携帯電話４０を閉じた際の外側）に設けられている。一方のケース４０Ａと他方のケース４０Ｂは、図１（Ｂ）に示すように、他方のケース４０Ｂが、一方のケース４０Ａと接続された一端側を中心として回転できるように接続されており、カメラ付き携帯電話４０を閉じた状態においても、ケースの一方を他方に対して１８０°捻っておくことで、ディスプレイ４１を外部から視認できるようになっている。
カメラ付き携帯電話４０は、また、カメラを備えている。カメラは、図示しない撮像素子と、カメラレンズ４２とを備えている。
撮像素子は、カメラレンズ４２を介して撮像対象物から導かれた像光による撮像を行うものであり、この実施形態では、ＣＣＤにより構成されている。カメラレンズ４２は、複数のレンズの組み合わせによって構成されていても構わないが、この実施形態では、一つのレンズにより構成されている。このカメラ付き携帯電話４０のカメラの撮像素子で撮像される画像は、カメラ付き携帯電話４０単独で撮像が行われる場合には、縮小的画像となるようにされている。なお、ここでいう縮小的画像とは、撮像素子よりも大きなものを縮小して撮像素子へと写りこませるものをいう。一般的な人物や景色の撮像は縮小的撮像にあたる。
カメラレンズ４２は、図１（Ｄ）に示すように、カメラ付き携帯電話４０を構成する一方のケース４０Ａの背面側（カメラ付き携帯電話４０を閉じた際の外側）に設けられている。このカメラレンズ４２は、常に露出しているのではなく必要に応じて露出するようになっている。この実施形態におけるカメラ付き携帯電話４０には、カメラレンズ蓋４３が取付けられており、図１（Ｃ）に示すように、カメラを使用しないときには、このカメラレンズ蓋４３がカメラレンズ４２を覆い隠すようになっている。このカメラレンズ蓋４３は、ケース４０Ａに対してスライド可能とされており、カメラを使用するときには、これをカメラ付き携帯電話４０の長さ方向にスライドさせることにより、カメラレンズ４２を露出させることができるようになっている。
また、カメラレンズ４２の傍には、カメラによる撮像が行われるときに撮像対象物に照明光を照射することのできるカメラ照明４４が設けられている。
カメラ付き携帯電話４０には、また、シャッターボタン４５が設けられている。このシャッターボタン４５を押込むなどの操作を行うと、カメラ付き携帯電話４０のカメラが撮像を行うようになっている。
このようなカメラ付き携帯電話４０としては、例えば、株式会社ＮＴＴドコモにより販売されている携帯電話である”ムーバＳＯ５０５ｉ”（商標）を用いることができる。
【００１６】
このようなカメラ付き携帯電話４０に取付けて用いるカメラ付き携帯電話用アタッチメント１を、図２ないし図７に示す。
この実施形態におけるカメラ付き携帯電話用アタッチメント１は、これをカメラ付き携帯電話４０と組み合わせた状態で、カメラ付き携帯電話４０のカメラが備える撮像素子にて撮像される画像を拡大するものである。
【００１７】
このカメラ付き携帯電話用アタッチメント１は、図２の斜視図に示すように、カメラ付き携帯電話４０を着脱自在に固定するベース１０と、撮像対象物を拡大する効果付与部２０とを備えている。
ベース１０と効果付与部２０は、一体にされていても構わないが、この実施形態では、ベース１０と効果付与部２０は、着脱自在に構成されている。
【００１８】
図２に示すベース１０は、上述のカメラ付き携帯電話４０を着脱することができるようにされている。ベース１０は、閉じた状態のカメラ付き携帯電話４０と固定可能なものであり、本発明における固定手段に相当するものである。
ベース１０は、ベース本体１１と固定部１５とを組合わせてなる。
【００１９】
ベース本体１１の詳細を、図３（Ａ）〜（Ｆ）に示す。
ベース本体１１は、この実施形態では樹脂の一体成形品とされ、略直方体形状で中空に形成されており、且つその背面側が開放されている。ベース本体１１の中空の部分には、カメラ付き携帯電話４０を収納できるようになっている。ベース本体１１の中空の部分の幅はカメラ付き携帯電話４０の短手方向の長さに、ベース本体１１の中空の部分の長さはカメラ付き携帯電話４０の長手方向の長さに、それぞれほぼ対応している。
ベース１０の表側の面（最も面積が広い部分である面）である表面板１１Ａには、ベース１０にカメラ付き携帯電話４０を取付けた際にカメラレンズ４２が対応するようにされたカメラ孔１１Ｂと、カメラ照明４４と対応するようにされたライト孔１１Ｄが、それぞれ設けられている。
これらカメラ孔１１Ｂ及びライト孔１１Ｄは、カメラ付き携帯電話４０をベース１０に取付けた際に、カメラレンズ４２とカメラ照明４４を表面板１１Ａから露出させるためのものである。本実施形態では、カメラ孔１１Ｂに、後述する効果付与部２０の突出部２５を嵌め込むことによって、効果付与部２０のベース１０に対する着脱自在な取付けが実現されるようになっている。
この実施形態におけるカメラ孔１１Ｂは、略円形とされており、且つその周沿いに、等間隔をあけて３つの切り欠き部１１１が形成され、全体として歯車のような形状になっている。各切り欠き部１１１間の略中央には、直方体形状の係止片１１２がカメラ孔１１Ｂに接するようにして設けられている。
ライト孔１１Ｄは、この実施形態では、円形とされている。
【００２０】
カメラ孔１１Ｂの径はカメラレンズ４２の視野を確保するに充分なものとされているが、カメラレンズ４２の視野を確保できるのであれば、カメラ孔１１Ｂはその大きさ、形状を自由に変更することができる。また、ライト孔１１Ｄは円形とされているが、カメラ照明４４を遮らないのであれば、ライト孔１１Ｄの大きさ、形状は自由に選択することができる。
更にいえば、カメラ孔１１Ｂとライト孔１１Ｄは、一連の孔であっても構わない。カメラ孔１１Ｂとライト孔１１Ｄが、一連の孔である場合には、その孔は、カメラレンズ４２の視野を確保でき、且つカメラ照明４４を遮らないものとされる。
表面板１１Ａには、また、後述する取外しボタン１６Ｂを露出させるための孔１１Ｅが設けられている。この孔１１Ｅは、この実施形態では、円形とされている。
【００２１】
ベース１０の表面板１１Ａから一連とされた矩形の板状の部分である背面１１Ｃの外側には、略円筒形状の円筒部材１２が設けられている。そして、この円筒部材１２には、表面板１１Ａの長さ方向に沿う向きで、その内周面にネジ切りされたカメラネジナット１３が埋め込まれている。カメラネジナット１３は、ボルト、ナットのいずれかであるカメラネジのうち、ナットの側を意味する。なお、カメラネジは、一般的には、１３インチネジ（１３  ２０ＵＮＣの規格）である。円筒部材１２は、背面１１Ｃの厚さを増してカメラネジナット１３を設けることができるだけの厚みを作り出すためのものである。
表面板１１Ａには、また、表面板１１Ａの長さ方向における位置が等しくなるようにして２つの固定用孔１１Ｆが設けられている。この固定用孔１１Ｆは、断面略矩形であり、表面板１１Ａを貫通している。
【００２２】
ベース１０の、上側の面には、レリーズ固定部材１４が設けられている（図３（Ｃ））。レリーズ固定部材１４は、図４に示したように、略矩形とされており、レリーズナット１４Ａを備えている。このレリーズナット１４Ａは、レリーズ固定部材１４を貫通するようにされ、その内部の中空な部分もレリーズ固定部材１４を貫通するようにされている。
この実施形態のレリーズナット１４Ａは、市販の一般的なレリーズの基端を固定できるものとされている。この実施形態では、レリーズナット１４Ａは、一般的なＪＩＳ規格に則したものとされている。もっとも、このアタッチメント１が、このアタッチメント１用に作られた専用品のレリーズを用いることしか想定されていないのであれば、レリーズナット１４Ａを、そのレリーズ専用のものとすることも可能である。
この実施形態におけるレリーズナット１４Ａは、必ずしもそうである必要はないが、ベース１０に対して着脱自在とされている。例えば、ベース１０の上側の面に、レリーズ固定部材１４の形状に対応した切欠１４Ｂを設けておくとともに、レリーズ固定部材１４の両端部に、切欠１４Ｂをその内部に挿入できる、例えば図４の断面図に示したような溝１４Ｃを設けておき、レリーズ固定部材１４の両端部の溝１４Ｃに切欠１４Ｂの端部を挿入した状態で切欠１４Ｂに押込めるようにしておくことで、ベース１０に対するレリーズ固定部材１４の着脱が可能となる。
【００２３】
ベース１０の表面板１１Ａの裏側には、上述の固定部１５が嵌めこまれ、固定されている。
固定部１５は、図５（Ａ）〜（Ｄ）に示したように、断面略コの字型の形状となっている。固定部１５は、この実施形態では、樹脂の一体成形品とされている。
固定部１５は、固定部本体１６と、脚部１７とを備えている。
固定部本体１６は、略矩形の板状体である。固定部本体１６の略中央には、略Ｓ字状に形成のバネ体１６Ａが設けられている。このバネ体１６Ａの中央には、また、略円筒状の取外しボタン１６Ｂが設けられている。この取外しボタン１６Ｂの直径は、上述の孔１１Ｅの直径よりも若干小さくされている。取外しボタン１６Ｂは、バネ体１６Ａの弾性によって、固定部本体１６の厚さ方向に多少の移動を行えるように構成されている。
脚部１７は、固定部本体１６の両端部に、固定部本体１６に対して略垂直に延びるように設けられている。脚部１７の先端には、脚部１７の先端を曲折させることにより、顎部１７Ａが形成されている。脚部１７は、その両端部の若干の開閉を許容する程度の弾性を有するようにして固定部本体１６に取付けられている。
固定部本体１６の脚部１７とは逆方向には、取付け部材１８が設けられている。この取付け部材１８は、上述した固定用孔１１Ｆの内部に挿入可能とされている。取付け部材１８の先端には、取付け部材１８の先端を曲折させることにより顎部１８Ａが形成されている。この顎部１８Ａは、取付け部材１８を固定用孔１１Ｆに挿入したときに、固定用孔１１Ｆ内部に係止されるようになっている。固定用孔１１Ｆに取付け部材１８を挿入し、顎部１８Ａを表面板１１Ａの表面側に係止することで、固定部１５は、ベース１０の表面板１１Ａの裏側に取付けられる。なお、このとき、取外しボタン１６Ｂは、上述の孔１１Ｅを貫通して、ベース１０の表面板１１Ａの表側に露出する。取外しボタン１６Ｂは、そのような露出が可能な程度の厚さにされている。
【００２４】
なお、ベース１０は、上述のものに限られない。カメラが使えるような状態でカメラ付き携帯電話４０との固定を行え、且つ効果付与部２０との着脱自在な固定を行えるのであればどのようなものでも構わない。複数のベース１０を準備しておけば、例えば、カメラレンズ４２の設けられている位置の異なるカメラ付き携帯電話や、大きさ、形状の異なるカメラ付き携帯電話にも、ベース１０の固定を行えるようになる。
【００２５】
次に、効果付与部２０の説明を行う。
図６を参照して、アタッチメント１の効果付与部２０の構成について説明する。図６は、本実施形態におけるアタッチメント１の効果付与部２０の一部透視図である。
この効果付与部２０は、鏡筒２２を有するレンズ部２３と、レンズケース２４を有している。
【００２６】
レンズケース２４は、レンズ部２３を内包するものであり、本実施形態では、樹脂製である。
このレンズケース２４は、その一端側が開口しており、略直方体とされている。
【００２７】
レンズ部２３は、上述のように、鏡筒２２を有する。
鏡筒２２の内部には、拡大レンズ２１Ａ、調節レンズ２１Ｂ、及び収束レンズ２１Ｃが収納されている。
これら拡大レンズ２１Ａ、調節レンズ２１Ｂ、及び収束レンズ２１Ｃはそれぞれ、この実施形態では１枚のレンズにより構成されているが、拡大レンズ２１Ａ、調節レンズ２１Ｂ、及び収束レンズ２１Ｃの少なくとも一つが、複数のレンズを組合わせて構成されたものとなっていても構わない。拡大レンズ２１Ａ、調節レンズ２１Ｂ、又は収束レンズ２１Ｃが複数のレンズで構成されるとき、拡大レンズ２１Ａ、調節レンズ２１Ｂ、又は収束レンズ２１Ｃを構成する複数枚のレンズは、密着していても、隙間を空けて配列されていても構わない。
拡大レンズ２１Ａは、撮像対象物からの像光を通過させることで、像光を拡大するものである。これにより、カメラは、拡大した画像の撮像を行えるようになる。この実施形態では、拡大レンズ２１Ａは５倍の拡大レンズとされている。
調節レンズ２１Ｂは、拡大レンズ２１Ａを通過した像光を通過させることで、それを通過した像光が、収束レンズ２１Ｃの全体に入るように調節するような機能を持つ。この実施形態における調節レンズ２１Ｂは、収束レンズ２１Ｃと同じ径にされており、それを通過した像光の収束レンズ２１Ｃに至ったときの径が、収束レンズ２１Ｃの径に等しくなるようにされている。
収束レンズ２１Ｃは、調節レンズ２１Ｂを通過した像光を通過させることで、それを通過した像光を、カメラレンズ４２の瞳の範囲内に、当該カメラレンズ４２の視野角以上の立体角をもって収束させるものである。この実施形態では、収束レンズ２１Ｃは、それを通過した像光を、カメラレンズ４２の瞳に、当該カメラレンズ４２の視野角と略同一の立体角をもって収束させるものとなっている。
鏡筒２２の内部には、また、絞り２１Ｄが配されている。絞り２１Ｄは、像光の径を絞るものであり、カメラで撮像が行われる際における焦点深度を深くする機能を有している。図６における絞り２１Ｄは、拡大レンズ２１Ａよりも撮像対象物側に位置するように描かれているが、拡大レンズ２１Ａと調節レンズ２１Ｂの間に位置する場合もある。
拡大レンズ２１Ａ、調節レンズ２１Ｂ、及び収束レンズ２１Ｃは、本願発明における効果付与素子に相当するものである。したがって、これらは、カメラ付き携帯電話４０で撮像される画像に何らかの効果を与える他の光学素子に置き換えることができる。例えば、拡大レンズ２１Ａ、調節レンズ２１Ｂ、及び収束レンズ２１Ｃのうちの拡大レンズ２１Ａを魚眼レンズや、近接撮影用レンズなどの他のレンズに置き換えることができる。また、拡大レンズ２１Ａ、調節レンズ２１Ｂ、及び収束レンズ２１Ｃの全体を、偏光フィルタ、回折格子、セピア色などの色味を写真に与える有色フィルタに置き換えることもできる。
この実施形態では、拡大レンズ２１Ａ、調節レンズ２１Ｂ、及び収束レンズ２１Ｃの全体を、偏光フィルタ、回折格子、又はセピア色などの色味を写真に与える有色フィルタに置き換えた効果付与部２０が複数用意されている。
【００２８】
レンズ部２３は、レンズケース２４をベース１０に取付けた際に、ベース１０から露出しているカメラレンズ４２の光軸と、拡大レンズ２１Ａ、調節レンズ２１Ｂ、及び収束レンズ２１Ｃの光軸とが一致するようにして、その一端側をレンズケース２４の他端側に突出させた状態で、レンズケース２４内に固定されている。
レンズ部２３のうちレンズケース２４から突出している部分を突出部２５と呼ぶことにするが、この突出部２５の先端部分の周縁には、一定間隔をあけた三箇所に突起２３ａが設けられている。突出部２５は、平面視で外歯車のような形状になっている。突起２３ａの厚みは、係止片１１２の高さと略等しくされている。
この突出部２５の先端部分の輪郭形状は、カメラ孔１１Ｂの輪郭形状と略同一となっており、その大きさはカメラ孔１１Ｂよりも少し小さくされている。それ故、この突出部２５の先端部分は、カメラ孔１１Ｂに挿入できるようになっている。
なお、突出部２５の、突起２３ａまでの軸方向の長さは、ベース１０の表面板１１Ａの厚みよりも少し長くなっている。
【００２９】
次に、このアタッチメント１の使用方法を説明する。
アタッチメント１を使用するにあたっては、まず、カメラ付き携帯電話４０へベース１０を取付ける。
かかる取付けは、ベース１０のベース本体１１に設けられた上述した脚部１７の間に、カメラ付き携帯電話４０を、カメラレンズ４２が設けられている面が表面板１１Ａの方を向くようにして嵌め込むことによって行う。脚部１７先端の顎部１７Ａが、二つ折りにされたカメラ付き携帯電話４０の上述の２つの部分の間に嵌り込むことで、ベース１０のカメラ付き携帯電話４０への固定がなされる。
このとき、カメラ付き携帯電話４０のディスプレイ４１は、ベース１０の反対側に露出する。また、カメラレンズ４２は、ベース１０のカメラ孔１１Ｂから露出し、カメラ照明４４は、ベース１０のライト孔１１Ｄから露出する。また、このとき、切欠１４Ｂは、カメラ付き携帯電話４０のシャッターボタン４５と対応する位置に位置する。
【００３０】
次に、ベース１０に、効果付与部２０を取付ける。
効果付与部２０のベース１０への取付けは、効果付与部２０の突出部２５の先端部分を、レンズ孔１１Ｂに挿入させた状態で、突起２３ａが係止片１１２に触れるまで図２のＡ方向に効果付与部２０を回転させることにより行う。
【００３１】
この状態でベース１０から露出したカメラ付き携帯電話４０のシャッターボタン４５を使用者が手の指で押込み操作により操作すれば、撮像を行える。このときカメラ付き携帯電話４０のカメラで撮像される画像は、この実施形態では拡大像になる。
効果付与部２０は着脱可能である。上述した他の効果付与素子を有する他の効果付与部２０をベース１０に取付ければ、カメラ付き携帯電話４０で撮像される画像は異なるものとなる。
【００３２】
ベース１０は、カメラ付き携帯電話４０と固定された状態で、図７に示したようにして、三脚６０のカメラネジボルトに６１に取付け可能である。なお、図７では、ベース１０に効果付与部２０を取付けていない状態を示しているが、ベース１０に、図２に示したようにして効果付与部２０を取付けることも可能である。
ベース１０を三脚６０に取付けた状態で、ベース１０から露出したカメラ付き携帯電話４０のシャッターボタン４５を、使用者が手の指で押込むことにより操作すれば、安定した状態で撮像を行える。
【００３３】
また、ベース１０の切欠１４Ｂにレリーズ固定部材１４を取付けることにより、カメラ付き携帯電話４０のカメラでの撮像にあたって、レリーズ７０を使用できるようになる。このレリーズ７０は、市販の一般的なものである。レリーズ７０は、レリーズ固定部材１４のレリーズナット１４Ａにその基端をねじ込むことで、レリーズナット１４Ａに固定されるようになっている。その状態でレリーズ７０の先端を操作すると、レリーズ７０の基端側に設けられた可動の部材がレリーズナット１４Ａの内側の中空部分を通過してシャッターボタン４５を押込む。このようにして、レリーズ７０を用いて、カメラ付き携帯電話４０のシャッターボタン４５を操作できるようになる。
カメラ付き携帯電話４０にレリーズ７０を固定した状態は、上述の図７に示されている。
【００３４】
なお、ベース１０の使用が終わったら、カメラ付き携帯電話４０からベース１０を取外せばよい。
カメラ付き携帯電話４０にベース１０が取付けられた状態で、上述の取外しボタン１６Ｂをベース１０の表面板１１Ａに向かって押込むと、バネ体１６Ａがカメラ付き携帯電話４０に当接し、ベース１０の表面板１１Ａをカメラ付き携帯電話４０から遠ざける。これにより、ベース１０がカメラ付き携帯電話４０から取外されることになる。
【図面の簡単な説明】
【００３５】
【図１（Ａ）】本発明の実施形態によるカメラ付き携帯電話用アタッチメントに取付けられるカメラ付き携帯電話のケースの開いた状態を示す斜視図。
【図１（Ｂ）】図１（Ａ）に示したカメラ付き携帯電話のケースの２つの部分をユニバーサルジョイントの部分で捻った状態を示す図。
【図１（Ｃ）】図１（Ａ）に示したカメラ付き携帯電話のケースの閉じた状態を示す図。
【図１（Ｄ）】図１（Ａ）に示したカメラ付き携帯電話のケースが閉じ、且つ撮像を行うために蓋の開いた状態を示す図。
【図２】本発明の実施形態によるカメラ付き携帯電話用アタッチメントの組合わせ方を示す斜視図。
【図３（Ａ）】本発明のカメラ付き携帯電話用アタッチメントのベースの一例を示す正面図。
【図３（Ｂ）】図３（Ａ）に示したベースの背面図。
【図３（Ｃ）】図３（Ａ）に示したベースの平面図。
【図３（Ｄ）】図３（Ａ）に示したベースの底面図。
【図３（Ｅ）】図３（Ａ）に示したベースの左側面図。
【図３（Ｆ）】図３（Ａ）に示したベースの右側面図。
【図４】図３（Ａ）に示したベースに含まれる固定部材の構成を示す図。
【図５（Ａ）】図３（Ａ）に示したベースに含まれる固定部の正面図。
【図５（Ｂ）】図５（Ａ）に示した固定部の背面図。
【図５（Ｃ）】図５（Ａ）に示した固定部の平面図。
【図５（Ｄ）】図５（Ａ）に示した固定部の底面図。
【図６】本発明の実施形態によるカメラ付き携帯電話用アタッチメントの効果付与部の一例を示す斜視図。
【図７】本発明の実施形態によるカメラ付き携帯電話用アタッチメントの使用態様を示す斜視図。
【符号の説明】
【００３６】
１  カメラ付き携帯電話用アタッチメント
１０  ベース
１１  ベース本体
１２  円筒部材
１３  カメラネジナット
２０  効果付与部
２２  鏡筒
２３  レンズ部
２４  レンズケース
２５  突出部
６０  三脚
６１  カメラネジボルト
【図１（Ａ）】
2006227309.tif 000003
【図１（Ｂ）】
2006227309.tif 000004
【図１（Ｃ）】
2006227309.tif 000005
【図１（Ｄ）】
2006227309.tif 000006
【図２】
2006227309.tif 000007
【図３（Ａ）】
2006227309.tif 000008
【図３（Ｂ）】
2006227309.tif 000009
【図３（Ｃ）】
2006227309.tif 000010
【図３（Ｄ）】
2006227309.tif 000011
【図３（Ｅ）】
2006227309.tif 000012
【図３（Ｆ）】
2006227309.tif 000013
【図４】
2006227309.tif 000014
【図５（Ａ）】
2006227309.tif 000015
【図５（Ｂ）】
2006227309.tif 000016
【図５（Ｃ）】
2006227309.tif 000017
【図５（Ｄ）】
2006227309.tif 000018
【図６】
2006227309.tif 000019
【図７】
2006227309.tif 000020